(57)【要約】【課題】  符号化された情報又文字情報の画像を読み取り、その情報に関連する情報を識別可能にする。【解決手段】  固定電話装置（図示せず）は着信時に通知された発信者の電話番号が電話帳データ記憶部に記憶されていなかった場合は、その電話番号をバーコードに変換して、バーコード及び電話番号を１３ａのように表示する。カメラ付きの携帯電話装置４は、表示されたバーコードを撮像し、電話番号に変換して、その携帯電話装置の電話帳データ記憶部４９を検索し、一致する電話番号が存在した場合は、表示部４３で電話帳データの内容である発信者の名前等を表示する。表示された電話番号に基づいて電話帳データ記憶部４９を検索してもよい。【選択図】  図２
2006101215.tif 000002
【特許請求の範囲】
【請求項１】
撮像手段と、情報記憶手段と、前記撮像手段で撮像した画像中の符号化情報のパターンを認識する手段と、前記認識した符号化情報から情報をデコードする手段と、前記デコードした情報が前記情報記憶手段に記憶されているか否かを判定する判定手段と、該判定手段により、前記デコードした情報が前記情報記憶手段に記憶されていると判定されたときに、前記デコードした情報の関連情報を前記情報記憶手段から読み出す手段と、前記読み出した関連情報を表示する手段とを備えたことを特徴とする情報読取表示装置。
【請求項２】
撮像手段と、情報記憶手段と、前記撮像手段で撮像した画像中の文字情報のパターンを認識する手段と、前記認識した文字情報が前記情報記憶手段に記憶されているか否かを判定する判定手段と、該判定手段により、前記文字情報が前記情報記憶手段に記憶されていると判定されたときに、前記文字情報の関連情報を前記情報記憶手段から読み出す手段と、前記読み出した関連情報を表示する手段とを備えたことを特徴とする情報読取表示装置。
【請求項３】
請求項１又は２記載の情報読取表示装置において、前記情報記憶手段には電話番号とその関連情報である使用者情報とが対応付けて記憶されていることを特徴とする情報取表示装置。
【請求項４】
請求項３記載の情報読取表示装置において、有線又は無線の電話通信を行う通信手段と、前記通信手段への着信時に通知された発信者の電話番号が前記情報記憶手段に記憶されているか否かを判定する判定手段と、該判定手段により前記発信者の電話番号が前記情報記憶手段に記憶されていると判定されたときに、前記発信者の電話番号の使用者情報を表示する手段とを備えたことを特徴とする情報読取表示装置。
【発明の詳細な説明】
【技術分野】
【０００１】
本発明は、バーコード等のような符号化された情報又は文字として記述された情報の画像を読み取り、その情報に関連する情報を表示する情報読取表示装置に関する。
【背景技術】
【０００２】
従来、バーコードで記述された情報を読み取る装置としては、受話器に設けたバーコード認識手段により、印刷物に印刷された電話番号に対応するバーコードを読み取り、読み取ったバーコードを電話の発信信号に変換するとともに、読み取った電話番号を確認のため表示し、確認後に発信を行うようにした電話機がある（特許文献１参照）。
【特許文献１】特開平６−１２５３８１号公報
【発明の開示】
【発明が解決しようとする課題】
【０００３】
しかしながら、特許文献１に記載された電話機では、読み取ったバーコードを変換した電話番号を表示しているため、表示内容からその電話番号の使用者情報等のような関連情報を識別することはできない。
【０００４】
本発明は、このような問題点に鑑みてなされたものであり、その目的は、符号化された情報（以下、符号化情報という）又は文字として記述された情報（以下、文字情報という）の画像を読み取り、その情報に関連する情報を識別可能にすることである。
【課題を解決するための手段】
【０００５】
請求項１に係る発明は、撮像手段と、情報記憶手段と、前記撮像手段で撮像した画像中の符号化情報のパターンを認識する手段と、前記認識した符号化情報から情報をデコードする手段と、前記デコードした情報が前記情報記憶手段に記憶されているか否かを判定する判定手段と、該判定手段により、前記デコードした情報が前記情報記憶手段に記憶されていると判定されたときに、前記デコードした情報の関連情報を前記情報記憶手段から読み出す手段と、前記読み出した関連情報を表示する手段とを備えたことを特徴とする情報読取表示装置である。
請求項２に係る発明は、撮像手段と、情報記憶手段と、前記撮像手段で撮像した画像中の文字情報のパターンを認識する手段と、前記認識した文字情報が前記情報記憶手段に記憶されているか否かを判定する判定手段と、該判定手段により、前記文字情報が前記情報記憶手段に記憶されていると判定されたときに、前記文字情報の関連情報を前記情報記憶手段から読み出す手段と、前記読み出した関連情報を表示する手段とを備えたことを特徴とする情報読取表示装置である。
請求項３に係る発明は、請求項１又は２記載の情報読取表示装置において、前記情報記憶手段には電話番号とその関連情報である使用者情報とが対応付けて記憶されていることを特徴とする情報取表示装置である。
請求項４に係る発明は、請求項３記載の情報読取表示装置において、有線又は無線の電話通信を行う通信手段と、前記通信手段への着信時に通知された発信者の電話番号が前記情報記憶手段に記憶されているか否かを判定する判定手段と、該判定手段により前記発信者の電話番号が前記情報記憶手段に記憶されていると判定されたときに、前記発信者の電話番号の使用者情報を表示する手段とを備えたことを特徴とする情報読取表示装置である。
【０００６】
（作用）
本発明に係る情報読取表示装置によれば、符号化情報又は文字情報を撮像し、画像を処理して情報を取得し、その情報に基づいて情報記憶手段を検索し、前記取得した情報の関連情報を情報記憶手段から読み出して表示する。
【発明の効果】
【０００７】
本発明によれば、符号化情報又は文字情報の画像を読み取り、その情報の関連情報を識別できる。
【発明を実施するための最良の形態】
【０００８】
以下、本発明の実施形態について図面を参照して説明する。
図１及び図２は本発明の実施形態に係る電話装置の構成を説明するための図である。ここで、図１は固定電話装置を示し、図２は携帯電話装置を示す。また、図１の固定電話装置１のユーザと図２の携帯電話装置４のユーザとは同一である。
【０００９】
図１に示すように、固定電話装置１は有線及び無線の公衆電話回線２を介して他の固定又は携帯電話装置３と通信可能である。固定電話装置１は、この固定電話装置１全体の制御及び各種処理を行う主制御部１１と、数字キーや各種機能キー等からなる操作部１２と、ＬＣＤ等からなる表示部１３と、公衆電話回線２を介して固定又は携帯電話装置３との間の通信を行う通信制御部１４と、通信制御部１４に着信した信号から発信元の発信者電話番号を検出する発信者番号検出部１５と、電話をかける相手の名前等に関連付けて電話番号を記憶するための電話帳情報記憶部１６と、電話番号の数字列を一次元又は二次元のバーコードに変換するための電話番号／バーコード変換テーブル１７とを備えている。
【００１０】
図２に示すように、携帯電話装置４は、この携帯電話装置４全体の制御及び各種処理を行う制御部４１と、数字キーや各種機能キー等からなる操作部４２と、ＬＣＤ等からなる表示部４３と、電波の送受信を行うアンテナ４４と、アンテナ４４に接続された無線部４５と、無線部４５に接続されたベースバンド部４６と、ベースバンド部４６に接続されたスピーカ４７及びマイク４８と、電話をかける相手の名前等に関連付けて電話番号を記憶するための電話帳情報記憶部４９と、カメラ部５０とを備えている。
【００１１】
以上の構成を有する固定電話装置１及び携帯電話装置４の動作を説明する。
固定電話装置１に対する公衆電話回線２から着信は通信制御部１４で検出され、主制御部１１へ通知される。また、着信時に通知された発信者番号は発信者番号検出部１５で検出され、主制御部１１へ送られる。主制御部１１は着信検出が通知されると（ステップＳ１でYES ）、着信処理を行う（ステップＳ２）。次に、主制御部１１は、電話帳情報記憶部１６を検索して（ステップＳ３）、着信時に通知された発信者番号と一致する電話番号が存在するか否かを判定する（ステップＳ４）。そして、存在した場合は、発信者番号及び電話帳情報記憶部１６に登録されているその発信者の名前等の電話帳情報を表示部１３に表示させ（ステップＳ５）、着信応答処理へ移行する。また、存在しなかった場合は、電話番号／バーコード変換テーブル１７を参照して、その発信者番号を一次元又は二次元のバーコードに変換した後に（ステップＳ６）、そのバーコード及び発信者番号を表示部１３の画面１３ａに表示させ（ステップＳ７）、着信応答処理へ移行する。
【００１２】
このように、本実施形態に係る固定電話装置１では、着信時に通知された発信者番号が電話帳情報記憶部１６に予め登録されているときは、発信者番号及び発信者の名前等の電話帳情報を表示部１３で表示し、着信時に通知された発信者番号が電話帳情報記憶部１６に登録されていないときは、発信者番号及びそのバーコードを表示部１３で表示する。なお、この固定電話装置１は操作部１２からの設定操作により、その他の表示態様、例えば着信時に通知された発信者番号が電話帳情報記憶部１６に登録されていないときにバーコードのみ、或いは発信者番号のみを表示するように動作させることもできる。
【００１３】
携帯電話装置４を所持しているユーザは、固定電話装置１に着信鳴動があり、その表示部１３の画面１３ａに発信者番号及びバーコードが表示されている場合、操作部４２の所定のキーを操作し、カメラ部５０を動作させてバーコードを撮像した後にバーコードの検索操作を行う。制御部４１はバーコード検索操作があると（ステップＳ１１でYES）、カメラ部５０で撮像されたビデオ信号からバーコードを抽出して認識し（ステップＳ１２）、認識したバーコードをデコードして数字列（電話番号）データに変換する（ステップＳ１３）。次に、制御部４１は電話帳情報記憶部４９を検索して（ステップＳ１４）、バーコードから変換した電話番号と一致する電話番号が存在するか否かを判定する（ステップＳ１５）。そして、存在した場合は、その電話番号及び電話帳情報記憶部４９に登録されているその発信者の名前等の電話帳情報を読み出し、表示部４３に表示させ（ステップＳ１６）、処理を終える。また、存在しなかった場合は、表示部４３にエラー表示を行わせ（ステップＳ１７）、処理を終える。
【００１４】
このように、本実施形態に係る電話装置によれば、固定電話装置１に着信した発信者の電話番号が固定電話装置１に電話帳情報として登録されていない電話番号であった場合は、携帯電話装置４の電話帳情報を検索し、携帯電話装置４に電話帳情報として登録されていた場合は、携帯電話装置４で表示するように構成したので、発信者の電話番号に対応する名前等を表示する確実性が高まる。
【００１５】
なお、以上の実施形態では、固定電話装置に対する着信時に通知された発信者番号を検索するときに、カメラ付きの携帯電話装置の電話帳情報を利用可能にしたものであるが、逆に、携帯電話装置に対する着信時に通知された発信者番号を検索するときに、撮像素子（ラインセンサ等）付きの固定電話装置の電話帳情報を利用可能に構成することもできる。また、以上の実施形態では、表示部１３に電話番号及びバーコードを表示したが、バーコードのみを表示してもよい。さらに、以上の実施形態では、表示部１３に表示されたバーコードを撮像して認識し、数字列に変換したが、表示部１３に表示された電話番号を撮像して認識するように構成してもよい。また、表示部１３に表示されたバーコードを撮像するのではなく、印刷物上のバーコードを撮像してもよい。さらに、本発明は、カメラ付きのボタン電話装置の子機、カメラ付きの携帯情報端末装置にも適用できる。また、本発明は、例えば商品番号から、その商品の関連情報（商品名、メーカー、販売者等）を検索して表示するように構成することもできる。
【図面の簡単な説明】
【００１６】
【図１】本発明の実施形態に係る固定電話装置の構成を示す図である。
【図２】本発明の実施形態に係る携帯電話装置の構成を示す図である。
【図３】本発明の実施形態に係る固定電話装置の動作を示すフローチャートである。
【図４】本発明の実施形態に係る携帯電話装置の動作を示すフローチャートである。
【符号の説明】
【００１７】
１・・・固定電話装置、４・・・携帯電話装置、１３、４３・・・表示部、１５・・・発信者番号検出部、１６、４９・・・電話帳情報記憶部、５０・・・カメラ部。
【図１】
2006101215.tif 000003
【図２】
2006101215.tif 000004
【図３】
2006101215.tif 000005
【図４】
2006101215.tif 000006